(57)【要約】【課題】  マルチエリアＡＦ時において適切なＡＦ処理を行うことができる撮像装置及びそのプログラムを実現する。【解決手段】  マルチエリアＡＦ方式が設定され測光方式とＡＦ処理の連動Ｏｎが設定されている状況下において、全域測光方式が選択されていると（１６でＹ）、９つのＡＦエリアがＣＣＤ５により撮像された画像全体に亘って棋布するように各ＡＦエリアの位置を設定してＡＦ処理を行う。また、中央重点測光方式が選択されていると（１８でＹ）、ＡＦエリアの数を４つに限定するとともに、この４つのＡＦエリア２３の位置をＣＣＤ５により撮像された画像データの画像の中央付近に設定してＡＦ処理を行う。また、スポット測光方式が選択されていると（１８でＮ）、ＡＦエリアの数を１つに限定するとともに、この１つのＡＦエリア２３の位置をＣＣＤ５により撮像された画像データの画像の中央部分に設定してＡＦ処理を行う。【選択図】  図２
2007178576.tif 000002
【特許請求の範囲】
【請求項１】
被写体を撮像する撮像手段と、
ユーザが複数種類の測光方式の中から任意の測光方式を選択するための第１の選択手段と、
ユーザが複数種類のＡＦ方式の中から任意のＡＦ方式を選択するための第２の選択手段と、
前記第２の選択手段によりマルチエリアＡＦ方式が選択された場合、前記第１の選択手段により選択された測光方式に応じてＡＦエリアの領域を設定するＡＦエリア設定手段と、
前記撮像手段により撮像された画像データのうち、前記ＡＦエリア設定手段により設定されたＡＦエリアの領域の画像データに基づいて合焦レンズ位置を検出する検出手段と、
を備えたことを特徴とする撮像装置。
【請求項２】
前記ＡＦエリア設定手段は、
前記第２の選択手段によりマルチエリアＡＦ方式が選択された場合は、前記第１の選択手段により選択された測光方式に応じて、ＡＦエリアの位置、ＡＦエリアの大きさ、ＡＦエリアの個数のうち少なくとも１つ以上を変えることにより、ＡＦエリアの領域を設定することを特徴とする請求項１記載の撮像装置。
【請求項３】
前記第１の選択手段により選択された測光方式に応じて測光エリアを設定する測光エリア設定手段を備え、
前記ＡＦエリア設定手段は、
前記第２の選択手段によりマルチエリアＡＦ方式が選択された場合、前記測光エリア設定手段により設定された測光方式の測光エリアに応じた位置にＡＦエリアの領域を設定することを特徴とする請求項１又は２記載の撮像装置。
【請求項４】
前記ＡＦエリア設定手段は、
前記第１の選択手段により測光方式として全域測光方式が選択された場合は、複数のＡＦエリアが、前記撮像手段により撮像された画像データの画像全体に亘って棋布するように、各ＡＦエリアの領域を設定することを特徴とする請求項１乃至３の何れかに記載の撮像装置。
【請求項５】
前記ＡＦエリア設定手段は、
前記第１の選択手段により測光方式として中央重点測光方式が選択された場合は、ＡＦエリアの大きさ又はＡＦエリアの個数を全域測光方式の場合より制限して設定することを特徴とする請求項４記載の撮像装置。
【請求項６】
前記ＡＦエリア設定手段は、
前記第１の選択手段により測光方式としてスポット測光方式が選択された場合は、ＡＦエリアの個数を１つに限定して設定することを特徴とする請求項１乃至５の何れかに記載の撮像装置。
【請求項７】
前記ＡＦエリア設定手段は、
前記第２の選択手段によりマルチエリアＡＦ方式以外の他のＡＦ方式が選択された場合は、前記第１の選択手段により選択された測光方式に関係なく、該選択された他のＡＦ方式に応じてＡＦエリアの領域を設定することを特徴とする請求項１乃至６の何れかに記載の撮像装置。
【請求項８】
前記ＡＦエリア設定手段による測光方式に応じたＡＦエリアの領域の設定処理の実行のオンオフを選択する第３の選択手段を備え、
前記ＡＦエリア設定手段は、
前記第２の選択手段によりマルチエリアＡＦ方式が選択され、且つ前記第３の選択手段によりオンが選択された場合に、前記第１の選択手段により選択された測光方式に応じたＡＦエリアの領域を設定することを特徴とする請求項１乃至７の何れかに記載の撮像装置。
【請求項９】
前記ＡＦエリア設定手段は、
前記第２の選択手段によりマルチエリアＡＦ方式が選択され、且つ前記第３の選択手段によりオフが選択された場合に、マルチエリアＡＦを構成する複数のＡＦエリアの領域をデフォル値に設定することを特徴とする請求項８記載の撮像装置。
【請求項１０】
被写体を撮像する撮像処理と、
複数種類の測光方式の中からユーザによって選択された測光方式を設定する第１の設定処理と、
複数種類のＡＦ方式の中からユーザによって選択されたＡＦ方式を設定する第２の設定処理と、
前記第２の設定処理によりマルチエリアＡＦ方式が設定された場合、前記第１の設定処理により設定された測光方式に応じてＡＦエリアの領域を設定するＡＦエリア設定処理と、
前記撮像処理により撮像された画像データのうち、前記ＡＦエリア設定処理により設定されたＡＦエリアの領域の画像データに基づいて合焦レンズ位置を検出する検出処理と、
を含み、上記各処理をコンピュータで実行させることを特徴とするプログラム。
【発明の詳細な説明】
【技術分野】
【０００１】
本発明は、撮像装置及びそのプログラムに係り、詳しくは、ＡＦ、ＡＥ処理機能を搭載した撮像装置及びそのプログラムに関する。
【背景技術】
【０００２】
近年、マルチエリアＡＦという機能が搭載されているデジタルカメラが登場してきている。
このマルチエリアＡＦとは、複数のＡＦエリアを設け、この複数のＡＦエリアの中から、オートフォーカスするＡＦエリアを自動的に決定して（例えば、撮影者に一番近い被写体がいるＡＦエリアに）ＡＦ処理を行うというものである。
また、デジタルカメラには、測光（光の強さを測ること）によって適正な露出を求め、該求めた適正露出に基づいて絞り値やシャッタ速度を自動的に設定するＡＥ処理機能も搭載されている。また、この測光は、画像データの全域に基づいて光の強さを測る「全域測光方式」と、画像データの中央部分に重点をおいて光の強さを測る「中央重点測光方式」と、画像データの一部分に基づいて光の強さを測る「スポット測光方式」というものがある。
また、従来ではＡＥ処理とＡＦ処理とは相関性がないため、ＡＥ処理とＡＦ処理とが違ったエリアに基づいて行なわれるという不具合を是正すべく、測光エリアとＡＦエリアを連動させることにより、撮影したい被写体に基づいてＡＥ、ＡＦ処理を行うという技術が登場した（特許文献１）。
【０００３】
【特許文献１】公開特許公報  特開平８−９２３６号
【発明の開示】
【発明が解決しようとする課題】
【０００４】
しかしながら、従来の技術によれば以下のような問題点が発生してしまう。
例えば、図８（ａ）に示すように、ＡＦ方式としてマルチエリアＡＦを選択した状態において、撮影したい被写体（女の子）が画像の中央付近にいるので、ユーザが中央重点測光方式を選択しても、図８（ｂ）に示すように撮影したい被写体（女の子）がいるＡＦエリアにピントが合わず、他のＡＦエリア（図８（ｂ）でいうと斜線部分のＡＦエリア）にピントがあってしまうという問題点があった。なお、２１は測光エリア、２２は重点的エリアを示すものであり、２２はＡＦエリアを示すものである。なお、中央重点測光方式とは、測光エリア２１は画像全体であるが、画像の中央付近の領域の画像データの重み付けを大きくし、中央付近の領域以外の画像データの重み付けを小さくして露出量を算出するという方法をとるので、この重点的エリア２２は、重み付けを大きくする中央付近の領域の画像データの範囲を示すものである。
また、上記特許文献１の技術においても、マルチエリアＡＦ時における不具合を解消することができるものではなかった。
【０００５】
そこで本発明は、かかる従来の問題点に鑑みてなされたものであり、マルチエリアＡＦ時において適切なＡＦ処理を行うことができる撮像装置及びそのプログラムを提供することを目的とする。
【課題を解決するための手段】
【０００６】
上記目的達成のため、請求項１記載の発明による撮像装置は、被写体を撮像する撮像手段と、
ユーザが複数種類の測光方式の中から任意の測光方式を選択するための第１の選択手段と、
ユーザが複数種類のＡＦ方式の中から任意のＡＦ方式を選択するための第２の選択手段と、
前記第２の選択手段によりマルチエリアＡＦ方式が選択された場合、前記第１の選択手段により選択された測光方式に応じてＡＦエリアの領域を設定するＡＦエリア設定手段と、
前記撮像手段により撮像された画像データのうち、前記ＡＦエリア設定手段により設定されたＡＦエリアの領域の画像データに基づいて合焦レンズ位置を検出する検出手段と、
を備えたことを特徴とする。
【０００７】
また、例えば、請求項２に記載されているように、前記ＡＦエリア設定手段は、
前記第２の選択手段によりマルチエリアＡＦ方式が選択された場合は、前記第１の選択手段により選択された測光方式に応じて、ＡＦエリアの位置、ＡＦエリアの大きさ、ＡＦエリアの個数のうち少なくとも１つ以上を変えることにより、ＡＦエリアの領域を設定するようにしてもよい。
【０００８】
また、例えば、請求項３に記載されているように、前記第１の選択手段により選択された測光方式に応じて測光エリアを設定する測光エリア設定手段を備え、
前記ＡＦエリア設定手段は、
前記第２の選択手段によりマルチエリアＡＦ方式が選択された場合、前記測光エリア設定手段により設定された測光方式の測光エリアに応じた位置にＡＦエリアの領域を設定するようにしてもよい。
【０００９】
また、例えば、請求項４に記載されているように、前記ＡＦエリア設定手段は、
前記第１の選択手段により測光方式として全域測光方式が選択された場合は、複数のＡＦエリアが、前記撮像手段により撮像された画像データの画像全体に亘って棋布するように、各ＡＦエリアの領域を設定するようにしてもよい。
【００１０】
また、例えば、請求項５に記載されているように、前記ＡＦエリア設定手段は、
前記第１の選択手段により測光方式として中央重点測光方式が選択された場合は、ＡＦエリアの大きさ又はＡＦエリアの個数を全域測光方式の場合より制限して設定するようにしてもよい。
【００１１】
また、例えば、請求項６に記載されているように、前記ＡＦエリア設定手段は、
前記第１の選択手段により測光方式としてスポット測光方式が選択された場合は、ＡＦエリアの個数を１つに限定して設定するようにしてもよい。
【００１２】
また、例えば、請求項７に記載されているように、前記ＡＦエリア設定手段は、
前記第２の選択手段によりマルチエリアＡＦ方式以外の他のＡＦ方式が選択された場合は、前記第１の選択手段により選択された測光方式に関係なく、該選択された他のＡＦ方式に応じてＡＦエリアの領域を設定するようにしてもよい。
【００１３】
また、例えば、請求項８に記載されているように、前記ＡＦエリア設定手段による測光方式に応じたＡＦエリアの領域の設定処理の実行のオンオフを選択する第３の選択手段を備え、
前記ＡＦエリア設定手段は、
前記第２の選択手段によりマルチエリアＡＦ方式が選択され、且つ前記第３の選択手段によりオンが選択された場合に、前記第１の選択手段により選択された測光方式に応じたＡＦエリアの領域を設定するようにしてもよい。
【００１４】
また、例えば、請求項９に記載されているように、前記ＡＦエリア設定手段は、
前記第２の選択手段によりマルチエリアＡＦ方式が選択され、且つ前記第３の選択手段によりオフが選択された場合に、マルチエリアＡＦを構成する複数のＡＦエリアの領域をデフォルト値に設定するようにしてもよい。
【００１５】
上記目的達成のため、請求項１０記載の発明によるプログラムは、被写体を撮像する撮像処理と、
複数種類の測光方式の中からユーザによって選択された測光方式を設定する第１の設定処理と、
複数種類のＡＦ方式の中からユーザによって選択されたＡＦ方式を設定する第２の設定処理と、
前記第２の設定処理によりマルチエリアＡＦ方式が設定された場合、前記第１の設定処理により設定された測光方式に応じてＡＦエリアの領域を設定するＡＦエリア設定処理と、
前記撮像処理により撮像された画像データのうち、前記ＡＦエリア設定処理により設定されたＡＦエリアの領域の画像データに基づいて合焦レンズ位置を検出する検出処理と、
を含み、上記各処理をコンピュータで実行させることを特徴とする。
【発明の効果】
【００１６】
請求項１記載の発明によれば、被写体を撮像する撮像手段と、ユーザが複数種類の測光方式の中から任意の測光方式を選択するための第１の選択手段と、ユーザが複数種類のＡＦ方式の中から任意のＡＦ方式を選択するための第２の選択手段と、前記第２の選択手段によりマルチエリアＡＦ方式が選択された場合、前記第１の選択手段により選択された測光方式に応じてＡＦエリアの領域を設定するＡＦエリア設定手段と、前記撮像手段により撮像された画像データのうち、前記ＡＦエリア設定手段により設定されたＡＦエリアの領域の画像データに基づいて合焦レンズ位置を検出する検出手段と、を備えるようにしたので、マルチエリアＡＦ下において、測光方式に対応したＡＦエリアの領域を設定することができ、撮影者が意図する範囲外に対してピントが合うということを防ぐことができる。
【００１７】
請求項２記載の発明によれば、前記ＡＦエリア設定手段は、前記第２の選択手段によりマルチエリアＡＦ方式が選択された場合は、前記第１の選択手段により選択された測光方式に応じて、ＡＦエリアの位置、ＡＦエリアの大きさ、ＡＦエリアの個数のうち少なくとも１つ以上を変えることにより、ＡＦエリアの領域を設定するようにしたので、マルチエリアＡＦ下において、測光方式に応じたＡＦエリアの位置や大きさ、個数などを設定することができ、撮影者が意図する範囲外に対してピントが合うということを防ぐことができる。
【００１８】
請求項３記載の発明によれば、前記第１の選択手段により選択された測光方式に応じて測光エリアを設定する測光エリア設定手段を備え、前記ＡＦエリア設定手段は前記第２の選択手段によりマルチエリアＡＦが選択された場合、前記測光エリア設定手段により設定された測光方式の測光エリアに応じた位置にＡＦエリア領域を設定するようにしたので、マルチエリアＡＦ下において、測光エリア外の領域に対してピントを合わせることがなく、撮影者が意図する範囲外に対してピントが合うということを防ぐことができる。
【００１９】
請求項４記載の発明によれば、前記ＡＦエリア設定手段は、前記第１の選択手段により測光方式として全域測光方式が選択された場合は、複数のＡＦエリアが、前記撮像手段により撮像された画像データの画像全体に亘って棋布するように、各ＡＦエリアの領域を設定するようにしたので、全域測光方式が選択された場合は、画像全体が被写体であると考えられ、画像全体の中で任意のＡＦエリアに対してピントを合わせることができる。
【００２０】
請求項５記載の発明によれば、前記ＡＦエリア設定手段は、前記第１の選択手段により測光方式として中央重点測光方式が選択された場合は、ＡＦエリアの大きさ又はＡＦエリアの個数を全域測光方式の場合より制限して設定するようにしたので、全域測光の場合に比べ合焦レンズ位置を検出する画像の範囲を小さくすることができ、且つ、撮影者が意図する範囲外に対してピントが合うということを防ぐことができる。
【００２１】
請求項６記載の発明によれば、前記ＡＦエリア設定手段は、前記第１の選択手段により測光方式としてスポット測光方式が選択された場合は、ＡＦエリアの個数を１つに限定して設定するようにしたので、撮影者が意図する範囲外に対してピントが合うということを防ぐことができる。
【００２２】
請求項７記載の発明によれば、前記ＡＦエリア設定手段は、前記第２の選択手段によりマルチエリアＡＦ方式以外の他のＡＦ方式が選択された場合は、前記第１の選択手段により選択された測光方式に関係なく、該選択された他のＡＦ方式に応じてＡＦエリアの領域を設定するようにしたので、ユーザが所望するＡＦ方式に基づくＡＦエリア内の被写体に対してピントを合わせることができる。
【００２３】
請求項８記載の発明によれば、前記ＡＦエリア設定手段により測光方式に応じたＡＦエリアの領域の設定処理の実行のオンオフを選択する第３の選択手段を備え、前記ＡＦエリア設定手段は、前記第２の選択手段によりマルチエリアＡＦ方式が選択され、且つ前記第３の選択手段によりオンが選択された場合に、前記第１の選択手段により選択された測光方式に応じたＡＦエリアの領域を設定するようにしたので、撮影状況に応じてユーザが測光方式とＡＦエリア領域とを連動させるか否かを選択することができる。
【００２４】
請求項９記載の発明によれば、前記ＡＦエリア設定手段は、前記第２の選択手段によりマルチエリアＡＦ方式が選択され、且つ前記第３の選択手段によりオフが選択された場合に、マルチエリアＡＦを構成する複数のＡＦエリアの領域をデフォルト値に設定するようにしたので、測光方式とＡＦエリアの連動をオフすることにより通常のマルチエリアＡＦを行なうことができる。
【００２５】
請求項１０記載の発明によれば、デジタルカメラ、パソコン等に読み込ませることにより、本発明の撮像装置を実現することができる。
【発明を実施するための最良の形態】
【００２６】
以下、本実施の形態について、本発明の撮像装置をデジタルカメラに適用した一例として図面を参照して詳細に説明する。
[実施の形態]
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、絞り兼用シャッタ４、ＣＣＤ５、垂直ドライバ６、ＴＧ（timing generator）７、ユニット回路８、画像生成部９、ＣＰＵ１０、キー入力部１１、ＡＦ評価値算出部１２、メモリ１３、ＤＲＡＭ１４、フラッシュメモリ１５、画像表示部１６、バス１７を備えている。
【００２７】
撮影レンズ２は、複数のレンズ群から構成されるフォーカスレンズ２ａ、ズームレンズ２ｂ等を含む。そして、撮影レンズ２にはレンズ駆動ブロック３が接続されている。レンズ駆動ブロック３は、フォーカスレンズ２ａ、ズームレンズ２ｂをそれぞれ光軸方向に駆動させるフォーカスモータ、ズームモータと、ＣＰＵ１０から送られてくる制御信号にしたがって、フォーカスモータ、ズームモータを駆動させるフォーカスモータドライバ、ズームモータドライバから構成されている（図示略）。
【００２８】
絞り兼用シャッタ４は、図示しない駆動回路を含み、駆動回路はＣＰＵ１０から送られてくる制御信号にしたがって絞り兼用シャッタ４を動作させる。この絞り兼用シャッタ４は、絞りとシャッタとしての機能を有する。
絞りとは、ＣＣＤ５に入射される光の量を制御する機構のことをいい、シャッタとは、ＣＣＤ５に光を当てる時間を制御する機構のことをいい、ＣＣＤ５に光を当てる時間（露光時間）は、シャッタ速度によって変わってくる。
露出量は、この絞り値（絞りの度合い）とシャッタ速度によって定められる。
【００２９】
ＣＣＤ５は、垂直ドライバ６によって走査駆動され、一定周期毎に被写体像のＲＧＢ値の各色の光の強さを光電変換して撮像信号としてユニット回路８に出力する。この垂直ドライバ６、ユニット回路８の動作タイミングはＴＧ７を介してＣＰＵ１０により制御される。
【００３０】
ユニット回路８には、ＴＧ７が接続されており、ＣＣＤ５から出力される撮像信号を相関二重サンプリングして保持するＣＤＳ（Correlated Double Sampling）回路、そのサンプリング後の撮像信号の自動利得調整を行なうＡＧＣ（Automatic Gain Control）回路、その自動利得調整後のアナログの撮像信号をデジタル信号に変換するＡ／Ｄ変換器から構成されており、ＣＣＤ５から出力された撮像信号はユニット回路８を経てデジタル信号として画像生成部９及びＡＦ評価値算出部１２に送られる。
【００３１】
画像生成部９は、ユニット回路８から送られてきた画像データに対してγ補正処理、ホワイトバランス処理などの処理を施すとともに、輝度色差信号（ＹＵＶデータ）を生成し、該生成された輝度色差信号の画像データはＣＰＵ１０に送られる。
【００３２】
ＣＰＵ１０は、画像生成部９から送られてきた画像データの圧縮・伸張（例えば、ＪＰＥＧ形式、ＭＰＥＧ形式の圧縮・伸張）処理、ＡＦ処理、ＡＥ処理を行う機能を有するとともに、デジタルカメラ１の各部を制御するワンチップマイコンである。
【００３３】
キー入力部１１は、半押し操作及び全押し操作が可能なシャッタボタン、モード切替キー、メニューキー、十字キー、ＳＥＴキー、ズームキー（「Ｗ」キー、「Ｔ」キー）等の複数の操作キーを含み、ユーザのキー操作に応じた操作信号をＣＰＵ１０に出力する。
【００３４】
ＡＦ評価値算出部１２は、オートフォーカス動作時に各フォーカスポイント（フォーカスレンズ２ａの各レンズ位置）においてＣＣＤ５により取得されるＡＦエリア２３内の画像データに基づいて高周波成分を抽出し、該抽出した高周波成分を積算してＡＦ評価値を算出する。
メモリ１３には、ＣＰＵ１０が各部を制御するのに必要な制御プログラム（例えば、ＡＦ処理、ＡＥ処理に必要な制御プログラム）、及び必要なデータが記録されており、ＣＰＵ１０は、該プログラムに従い動作する。
【００３５】
ＤＲＡＭ１４は、ＣＣＤ５によって撮像された後、ＣＰＵ１０に送られてきた画像データを一時記憶するバッファメモリとして使用されるとともに、ＣＰＵ１０のワーキングメモリとして使用される。
フラッシュメモリ１５は、ＣＣＤ５によって撮像され圧縮された画像データを保存する記録媒体である。
【００３６】
画像表示部１６は、カラーＬＣＤとその駆動回路を含み、撮影待機状態にあるときには、ＣＣＤ５によって撮像された被写体をスルー画像として表示し、記録画像の再生時には、フラッシュメモリ１５から読み出され、伸張された記録画像を表示させる。
【００３７】
Ｂ．デジタルカメラ１の動作
実施の形態におけるデジタルカメラ１の動作を図２及び図３のフローチャートに従って説明する。
ユーザのキー入力部１１のモード切替キーの操作により撮影モードに設定されると、ＣＰＵ１０は、ＣＣＤ５による撮像を開始させ、画像生成部９によって生成された輝度色差信号の画像データをバッファメモリ（ＤＲＡＭ１４）に記憶させ、該記憶された画像データを画像表示部１６に表示させるという、いわゆるスルー画像表示を開始させる（ステップＳ１）。
【００３８】
次いで、ＣＰＵ１０は、ユーザによってメニューキーが操作されたか否かを判断する（ステップＳ２）。この判断は、メニューキーの操作に対応する操作信号がキー入力部１１から送られてきたか否かにより判断する。
ステップＳ２でメニューキーが操作されていないと判断すると、ステップＳ３に進み、ＣＰＵ１０は、ユーザによってシャッタボタンが半押しされたか否かの判断を行う。この判断は、シャッタボタン半押しに対応する操作信号がキー入力部１１から送られてきたか否かにより判断する。
【００３９】
一方、ステップＳ２で、メニューキーが操作されたと判断すると、図３のステップＳ４に進み、ＣＰＵ１０は、被写体のスルー画像とともに、メニューを画像表示部１６に表示させる。この表示されるメニューの内容としては、少なくとも測光方式を選択する欄と、ＡＦ方式を選択する欄と、測光方式とＡＦ処理との連動のＯｎ／Ｏｆｆを選択する欄がある。
【００４０】
次いで、ＣＰＵ１０は、ユーザによって測光方式が選択されたか否かを判断する（ステップＳ５）。この判断は、ユーザのキー入力部１１の十字キー及びＳＥＴキーの操作により測光方式が選択されたか否かにより判断する。
具体的に説明すると、ＣＰＵ１０は、ユーザの十字キーの操作によって測光方式を選択する欄にカーソルが合わせられると、複数種類の測光方式を表示する。そして、ユーザの十字キーの操作により任意の測光方式が選択され、セットキーの操作が行なわれると、測光方式が選択されたと判断する。この測光方式の種類としては、「全域測光方式」、「中央重点測光方式」、「スポット測光方式」の３種類がある。
【００４１】
ステップＳ５で、測光方式が選択されたと判断すると、ＣＰＵ１０は、ユーザの選択に従って測光方式を設定して（ステップＳ６）、ステップＳ７に進む。つまり、ＣＰＵ１０に内蔵されているメモリの測光方式記憶領域に、ユーザによって選択された種類の測光方式の情報を記憶させる。
一方、ステップＳ５で、ユーザによって測光方式が選択されていないと判断するとそのままステップＳ７に進む。
【００４２】
ステップＳ７に進むと、ＣＰＵ１０は、ユーザによってＡＦ方式が選択されたか否かを判断する。この判断は、ユーザのキー入力部１１の十字キー及びＳＥＴキーの操作によりＡＦ方式が選択されたか否かにより判断する。
具体的に説明すると、ＣＰＵ１０は、ユーザの十字キーの操作によってＡＦ方式を選択する欄にカーソルが合わせられると、複数種類のＡＦ方式を表示する。そして、ユーザの十字キーの操作により任意のＡＦ方式が選択され、セットキーの操作が行なわれると、ＡＦ方式が選択されたと判断する。このＡＦ方式の種類としては、「マルチエリアＡＦ方式」、「顔認識ＡＦ方式」、ユーザが任意の位置にＡＦエリアを設定できる「フリーＡＦ方式」などがある。
【００４３】
ステップＳ７で、ＡＦ方式が選択されたと判断すると、ＣＰＵ１０は、ユーザの選択に従ってＡＦ方式を設定して（ステップＳ８）、ステップＳ９に進む。つまり、ＣＰＵ１０に内蔵されているメモリのＡＦ方式記憶領域に、ユーザによって選択されたＡＦ方式の情報を記憶させる。
一方、ステップＳ７で、ＡＦ方式が選択されていないと判断するとそのままステップＳ９に進む。
【００４４】
ステップＳ９に進むと、ＣＰＵ１０は、ユーザによって測光方式とＡＦ処理の連動のＯｎ／Ｏｆｆが選択されたか否かを判断する。この判断は、ユーザの十字キー及びＳＥＴキーの操作により連動のＯｎ／Ｏｆｆが選択されたか否かにより判断する。
具体的に説明すると、ＣＰＵ１０は、ユーザの十字キーの操作によって連動Ｏｎ／Ｏｆｆを選択する欄にカーソルが合わせられると、連動Ｏｎさせるか連動Ｏｆｆさせるかの選択肢を表示させる。そして、ユーザの十字キーの操作により何れか一方が選択され、セットキーの操作が行なわれると、連動Ｏｎ又はＯｆｆが選択されたと判断する。
【００４５】
ステップＳ９で、連動Ｏｎ／Ｏｆｆが選択されたと判断すると、ＣＰＵ１０は、ユーザの選択に従って連動Ｏｎ又はＯｆｆの設定を行なって（ステップＳ１０）、ステップＳ１１に進む。つまり、ＣＰＵ１０に内蔵されているメモリの連動情報記憶領域に連動Ｏｎ又はＯｆｆの情報を記憶させる。
一方、ステップＳ９で、連動Ｏｎ／Ｏｆｆの選択がされていないと判断するとそのままステップＳ１１に進む。
【００４６】
ステップＳ１１に進むと、ＣＰＵ１０は、ユーザによってメニューキーの操作が行なわれたか否かを判断する。
ステップＳ１１でメニューキーの操作が行なわれていないと判断するとステップＳ５に戻り、メニューキーの操作が行なわれたと判断すると、メニューを非表示にして（ステップＳ１２）、図２のステップＳ３へ進む。つまり、メニュー表示状態時には自由に測光方式、ＡＦ方式、連動Ｏｎ／Ｏｆｆの選択及び変更を行なうことができる。
【００４７】
図２のステップＳ３で、シャッタボタンが半押しされていないと判断するとステップＳ２に戻り、シャッタボタンが半押しされたと判断するとステップＳ１３に進む。つまり、ユーザはシャッタボタンを半押しするまではメニューキーを操作することにより、自由に測光方式、ＡＦ方式の選択、連動Ｏｎ／Ｏｆｆの選択を行なうことができる。
【００４８】
ステップＳ１３に進むと、ＣＰＵ１０は、設定された測光方式によるＡＥ処理を行う。つまり、設定された測光方式に対応する測光エリア２１の画像データの輝度成分Ｙに基づいて測光処理を行い、該測光処理の結果に基づいて露出量を算出し、該算出した露出量となるように絞り値、シャッタ速度を設定（確定）する。
具体的に説明すると、測光方式として全域測光方式が設定されている場合には、測光エリア２１は画像データの全領域となるので、全体の画像データの平均値の輝度成分に基づいて露出量を計算する。
また、中央重点測光方式が設定されている場合には、測光エリア２１は画像データの全領域となるが、中央付近の領域の画像データの重み付けを大きくし、中央付近の領域以外の画像データの重み付けを小さくして平均値をとった値の輝度成分に基づいて露出量を計算することとなる。なお、撮像された全体の画像データの中央付近の領域の画像データの輝度成分のみに基づいて露出量を計算するようにしてもよい。
また、スポット測光方式が設定されている場合には、測光エリア２１は画像データのうち一部分の領域となるので、一部分の領域の画像データの輝度成分に基づいて露出量を計算することになる。
【００４９】
次いで、ＣＰＵ１０は、ＡＦ方式としてマルチエリアＡＦが設定されているか否かを判断する（ステップＳ１４）。この判断は、ＡＦ方式記憶領域に記憶されているＡＦ方式の情報に基づいて行なわれる。
ステップＳ１４で、マルチエリアＡＦが設定されていると判断すると、ＣＰＵ１０は、測光方式とＡＦ処理の連動Ｏｎが設定されているか否かを判断する（ステップＳ１５）。この判断は、連動情報記憶領域に記憶されている情報に基づいて行なわれる。
ステップＳ１５で、連動Ｏｎが設定されていると判断すると、ＣＰＵ１０は、全域測光方式が選択されているか否かを判断する（ステップＳ１６）。この判断は、測光方式記憶領域に記憶されている測光方式の情報に基づいて行なわれる。
【００５０】
ステップＳ１６で、全域測光方式が設定されていると判断すると、ＣＰＵ１０は、ＡＦエリア２３の数を後述するデフォルト設定と同じ９つにするとともに、この９つのＡＦエリアが、ＣＣＤ５により撮像された画像全体に亘って棋布するように、各ＡＦエリアの位置を設定し、該設定した位置に従って複数のＡＦを画像表示部１６に表示させて（ステップＳ１７）、ステップＳ２２に進む。
この全域測光方式に対応するＡＦエリア２３の位置及び個数（ＡＦエリア２３の領域情報）は予めメモリ１３に記録されており、ＣＰＵ１０は、該領域情報を読み出して、ＡＦエリア２３の位置及び個数を設定して表示させる。
なお、本実施の形態では、ＡＦエリアの大きさは予め定められた１つの大きさとする。
図４（ａ）は、全域測光方式の様子を示すものであり、測光エリア２１は、ＣＣＤ５により撮像された画像データの全範囲となる。
図４（ｂ）は、全域測光方式が選択され、且つ、マルチエリアＡＦが選択されたときの、全域測光方式に対応する複数のＡＦエリア２３の表示位置の様子を示すものである（ステップＳ１７で表示される画面の様子）。
【００５１】
図４（ｂ）を見ると、複数のＡＦエリアは、画像の全体に亘って棋布するように表示されているのがわかる。
ユーザが全域測光方式を選択した場合には、画像全体が撮影したい被写体と考えるのが普通であり、どこの部分にピントが合っても不都合はないので、複数のＡＦエリア２３を画像全体に広がるように配置させる。
なお、全域測光方式が設定された場合における、ステップＳ２２のＡＥ処理は、測光エリア２１は画像データの全領域となるので、全体の画像データの輝度成分に基づいて露出量を算出し、該算出された露出量に基づいて絞り値、シャッタ速度を設定することとなる。
【００５２】
一方、ステップＳ１６で、全域測光でないと判断すると、ＣＰＵ１０、中央重点測光方式が設定されているか否かの判断を行う（ステップＳ１８）。この判断も、測光方式記憶領域に記憶されている測光方式の情報に基づいて行なわれる。
ステップＳ１８で、中央重点測光方式が設定されていると判断すると、ＣＰＵ１０は、ＡＦエリア２３の数を全域測光方式設定時よりも少ない４つに限定するとともに、この４つのＡＦエリア２３の位置をＣＣＤ５により撮像された画像データの画像の中央付近に設定して、複数のＡＦエリアを画像表示部１６に表示させて（ステップＳ１９）、ステップＳ２２に進む。
この場合も中央重点測光方式に対応するＡＦエリア２３の位置及び個数（ＡＦエリア２３の領域情報）は予めメモリ１３に記録されており、ＣＰＵ１０は、該領域情報を読み出して、ＡＦエリアの位置及び個数を設定して表示させる。
図５（ａ）は、中央重点測光方式の測光エリア２１及び重点的に測光する重点的エリア２２の様子を示すものである。中央重点測光方式の場合には測光エリア２１のほかに重点的に測光する重点的エリア２２をも設ける。
中央重点測光方式の場合も測光エリア２１はＣＣＤ５により撮像された画像データの全範囲となるが、中央重点測光方式の場合には、全域測光方式と違って中央付近の領域の画像データの重み付けを大きくするからであり、重点的エリア２２は、この重み付けを大きくする部分の画像データの範囲を示すものである。
図５（ｂ）は、中央重点測光方式が選択され、且つ、マルチエリアＡＦが選択されたときの、中央重点測光方式に対応する複数のＡＦエリア２３の表示位置の様子を示すものである（ステップＳ１９で表示される画面の様子）。
【００５３】
ユーザが中央重点測光方式を選択した場合には、撮影者が撮影したい被写体は画像の中央付近にいると考えるのが通常であるので、ＡＦエリアの数を減らすと同時に複数のＡＦエリア２３を画像の中央付近に配置させる。なお、複数のＡＦエリア２３は、重点的エリア２２の範囲内に納まるように配置させるようにしてもよいし、重点的エリア２２の範囲より少し広い範囲で納まるようにしてもよい。要は、重点的エリア２２の範囲と、複数のＡＦエリアが納まる範囲とが略同一視できる程度であればなんでもよい。
また、図５（ｂ）を見ると、表示されるＡＦエリア２１の数は４つであるが、これも同様に重点的エリア２２の略同一の範囲内でＡＦエリアが納まるようにＡＦエリアの数も定めてもよい。
【００５４】
なお、中央重点測光方式が設定された場合における、ステップＳ２２のＡＥ処理は、測光エリア２１は画像全体となるが、重点的エリア２２内の画像データの重み付けを大きくし、重点的エリア２２以外の画像データの重みを小さくして平均値を取った値の輝度成分に基づいて露出量を算出し、該算出された露出量に基づいて絞り値、シャッタ速度を設定することとなる。
【００５５】
一方、ステップＳ１８で、中央重点測光方式でないと判断すると、ＣＰＵ１０は、スポット測光方式が設定されていると判断し、ＡＦエリア２３の数を１つに限定するとともに、スポット測光の測光エリア２１内又は測光エリア２１と略同一の範囲内にＡＦエリア２３が納まるような位置にＡＦエリア２３を設定し、該設定した位置にＡＦエリアを表示して（ステップＳ２０）、ステップＳ２２に進む。
この場合もスポット測光方式に対応するＡＦエリア２３の位置及び個数（ＡＦエリア２３の領域情報）は予めメモリ１３に記録されており、ＣＰＵ１０は、該領域情報を読み出して、ＡＦエリアの位置及び個数を設定して表示させる。
【００５６】
図６（ａ）は、スポット測光方式の測光エリアの２１の様子を示すものである。
測光エリア２１は、ＣＣＤ５により撮像された画像データのうち、中央部分の範囲となる。
図６（ｂ）は、スポット測光方式が選択され、且つ、マルチエリアＡＦが選択されたときの、スポット測光方式に対応するＡＦエリア２３の表示位置の様子を示すものである（ステップＳ２０で表示される画面の様子）。
【００５７】
ユーザがスポット測光方式を選択した場合には、撮影者が撮影したい被写体は画像の中央部分にいると考えるのが通常であるので、ＡＦエリア２３を画像の中央部分に配置させる。なお、図６（ｂ）を見ると分かるように、スポット測光の場合には、測光エリア２１の範囲が狭く複数のＡＦエリアを表示することができないため、表示されるＡＦエリア２３は１つということになるが、測光エリア２１内（又は略同一の範囲内）に複数のＡＦエリアが納まる場合には複数のＡＦエリアを表示させるようにしてもよい。
【００５８】
なお、ここでは、測光エリア２１を画像の中央部分としたが、ユーザによってスポット測光の測光エリア２１として任意の部分が選択された場合には、該選択された部分を測光エリア２１として変更し、ＡＦエリア２３もその測光エリア２１内に納まるような位置に設定して表示させることとなる。
また、スポット測光方式が設定された場合における、ステップＳ２２のＡＥ処理は、測光エリア２１は画像データのうち一部分の領域となるので、測光エリア２１内の画像データの輝度成分に基づいて露出量を算出し、該算出された露出量に基づいて絞り値、シャッタ速度を設定することとなる。
【００５９】
一方、ステップＳ１５で、測光方式とＡＦ処理の連動Ｏｆｆが設定されていると判断すると、設定されている測光方式の種類に関係なく、複数（９つ）のＡＦエリアの位置を、予め定められたデフォルト位置（例えば、図８に示すようなＡＦエリアの位置）に設定して複数のＡＦエリアを表示させて（ステップＳ２１）、ステップＳ２２に進む。
ステップＳ２２に進むと、ＣＰＵ１０は、ステップＳ１７、Ｓ１０、Ｓ１１、又はＳ１２において設定された位置及び個数のＡＦエリアに基づいてコントラスト検出方式によるＡＦ処理を行って、ステップＳ２４に進む。
【００６０】
具体的に説明すると、レンズ駆動ブロック３に制御信号を送ることにより、フォーカスレンズ２ａをレンズ端（最も撮影者から一番近い被写体にピントが合うレンズ位置）からレンズ端（最も撮影者から一番遠い被写体にピントが合う位置）まで移動させていくとともに（サーチ移動）、ＡＦ評価値算出部１２によって算出された各ＡＦエリアのＡＦ評価値をＣＰＵ１０は取得して各ＡＦエリアのＡＦ評価値のピーク値を検出していき、いずれかのＡＦエリアにおいてピーク値が検出されるとサーチ移動を中止して、該ピーク値が検出されたレンズ位置にフォーカスレンズ２ａを移動させることにより被写体に対してピントを合わせる。
【００６１】
一方、ステップＳ１４で、ＡＦ方式としてマルチエリアＡＦが設定されていないと判断すると、ステップＳ２３に進み、該設定された他のＡＦ方式に基づくＡＦ処理を行って、ステップＳ２４に進む。
この他のＡＦ方式としては、顔認識ＡＦ方式、ユーザがＡＦエリアの位置を任意に設定できるフリーＡＦ方式、ＡＦエリアが予め固定されているＡＦ方式などがある。この顔認識ＡＦとは、画像認識により被写体の顔がどこにあるかを判断し、該判断した位置にＡＦエリアを設定するというものである。
つまり、他のＡＦ方式の場合には、ユーザにより設定されている測光方式（の測光エリア２１）とは連動しないことになる。
【００６２】
ステップＳ２４に進むと、ユーザによってシャッタボタンが全押しされたか否かの判断を行う。この判断は、シャッタボタン全押しに対応する操作信号がキー入力部１１から送られてきたか否かにより判断する。
ステップＳ２４で、シャッタボタンが全押しされていないと判断すると、全押しされたと判断するまでステップＳ２４に留まり、シャッタボタンが全押しされたと判断すると、静止画撮影・記録処理を行う（ステップＳ２５）。
つまり、ステップＳ１３で設定（確定）された絞り値、シャッタ速度で撮影（電荷蓄積）動作を行わせた後、ＣＣＤ５の全画素に蓄積された電荷を読出して画像処理を施し、該画像処理が施された画像データを圧縮してフラッシュメモリ１５に記録させる。
【００６３】
Ｃ．以上のように、実施の形態においては、マルチエリアＡＦ方式が設定され、測光方式とＡＦ処理の連動Ｏｎが設定されている状況下においては、ユーザにより設定されている測光方式の種類に応じて、設定するＡＦエリアの位置や個数を変えるので、撮影者が真に撮影したい範囲以外の被写体に対してピントを合わせることがない。
【００６４】
例えば、ユーザが測光方式として全域測光方式を選択した場合には、撮像される全部が被写体であると考えられるので、マルチエリアＡＦを構成する複数のＡＦエリアがＣＣＤ５により撮像された画像全体に亘って棋布するように、各ＡＦエリアの位置を設定してＡＦ処理を行い、また、中央重点測光方式が選択された場合には、画像の中央付近にいる被写体が撮影したい被写体であると考えられるので、ＡＦエリアの数を４つに限定するとともに複数のＡＦエリア２３の位置をＣＣＤ５により撮像された画像データの画像の中央付近に設定してＡＦ処理を行う。また、スポット測光方式が選択された場合には、画像の中央部分にいる被写体が撮影したい被写体であると考えられるので、ＡＦエリアの数を１つに限定するとともにＡＦエリアの位置を画像の中央部分に設定してＡＦ処理を行う。
【００６５】
また、ユーザが測光方式とＡＥ処理の連動Ｏｎ／Ｏｆｆの選択をすることができ、連動Ｏｆｆが選択された場合には、マルチエリアＡＦを構成する複数のＡＦエリアをデフォルト位置に従って設定するので、ユーザがその撮影状況にあったマルチエリアＡＦ方式によるＡＦ処理を行うことができる。
また、ユーザによってマルチエリアＡＦ方式以外の他のＡＦ方式（顔認識ＡＦなど）が選択された場合には、ユーザが選択した測光方式に関係なく、該選択された他のＡＦ方式に基づいてＡＦ処理を行うので、ユーザが所望するＡＦ方式に基づいて被写体に対してピントを合わせることができる。
【００６６】
［変形例］
Ｄ．上記実施の形態は以下のような態様でもよい。
（１）また、上記実施の形態においては、ＡＦエリア２３を表示させるようにしたが、表示させないようにしてもよい。
【００６７】
（２）また、上記実施の形態においては、測光方式とＡＦ処理の連動Ｏｎ時において、全域測光方式、中央重点測光方式、スポット測光方式の何れの場合においてもＡＦエリアの大きさは同一としたが、測光方式によってＡＦエリアの大きさ（エリアサイズ）を変えるようにしてもよい。つまり、測光エリア２１（中央重点測光方式の場合には重点的エリア２２）内に大体納まるように、各ＡＦエリアの位置及び大きさを変更させるようにする。
例えば、連動Ｏｎ時において、中央重点測光方式が選択された場合には、図７に示すように、ＡＦエリア２３の数を限定する代わりにＡＦエリア２１の大きさを小さくするようにしてもよい。
また、上記実施の形態においては、ユーザにより設定されている測光方式の種類に応じて設定するＡＦエリア２３の位置と個数を変えるようにしたが、設定するＡＦエリア２３の位置のみ、個数のみ、あるいは大きさのみを変えるようにしてもよい。さらに、設定するＡＦエリア２３の位置と大きさのみを変えるようにしたり、設定するＡＦエリア２３の個数と大きさのみを変えるようにしてもよい。
また、ステップＳ２１では、９つのＡＦエリア２３の位置をデフォルト位値に設定したが、位置のみならず、個数、大きさも含んだデフォルト値を設け、該デフォルト値に基づいて、ＡＦエリア２３を複数表示させるようにしてもよい。
【００６８】
（３）また、上記実施の形態におけるデジタルカメラ１は、上記の実施の形態に限定されるものではなく、カメラ付き携帯電話、カメラ付きＰＤＡ、カメラ付きパソコン、カメラ付きＩＣレコーダ、又はデジタルビデオカメラ等でもよく、ＡＥ機能、ＡＦ機能を備えた機器であれば何でもよい。
【図面の簡単な説明】
【００６９】
【図１】本発明の実施の形態のデジタルカメラのブロック図である。
【図２】実施の形態のデジタルカメラ１の動作を示すフローチャートである。
【図３】実施の形態のデジタルカメラ１の動作を示すフローチャートである。
【図４】全域測光方式が選択されたときの測光エリア２１の様子、及びマルチエリアＡＦ下において、全域測光方式に対応するＡＦエリア２３の様子を示す図である。
【図５】中央重点測光方式が選択されたときの測光エリア２１及び重点的エリア２２の様子、及びマルチエリアＡＦ下において、中央重点測光方式に対応するＡＦエリア２３の様子を示す図である。
【図６】スポット測光方式が選択されたときの測光エリア２１の様子、及びマルチエリアＡＦ下において、スポット測光方式に対応するＡＦエリア２３の様子を示す図である。
【図７】変形例におけるマルチエリアＡＦ下において、中央重点測光方式に対応するＡＦエリア２３の様子を示す図である。
【図８】従来における中央重点測光方式に対応する測光エリア２１及び重点的エリア２２、マルチエリアＡＦのときのＡＦエリア２３の様子を示す図である。
【符号の説明】
【００７０】
１      デジタルカメラ
２      撮影レンズ
３      レンズ駆動ブロック
４      絞り兼用シャッタ
５      ＣＣＤ
６      垂直ドライバ
７      ＴＧ
８      ユニット回路
９      画像生成部
１０    ＣＰＵ
１１    キー入力部
１２    ＡＦ評価値算出部
１３    メモリ
１４    ＤＲＡＭ
１５    フラッシュメモリ
１６    画像表示部
１７    バス
【図１】
2007178576.tif 000003
【図２】
2007178576.tif 000004
【図３】
2007178576.tif 000005
【図４】
2007178576.tif 000006
【図５】
2007178576.tif 000007
【図６】
2007178576.tif 000008
【図７】
2007178576.tif 000009
【図８】
2007178576.tif 000010